(57)【要約】【課題】移動無線通信ネットワーク内の移動無線通信装置測定を助ける方法を提供する。【解決手段】上記方法は装置測定用に利用可能な期間を示す働きをする信号を移動無線通信装置に提供するために、ネットワークから移動無線通信装置に送出されるリソース・ブロック内に、割当てのリソース・ブロックを持たない後続の連続トランスミッション・タイミング・インターバルの数の指標を組み込むステップを含む。【選択図】図２
2010518657.tif 000002
【特許請求の範囲】
【請求項１】
移動無線通信ネットワーク内の移動無線通信装置測定を助ける方法であって、ネットワークから前記移動無線通信装置に送出されるリソース・ブロック内に、割当てのリソース・ブロックを持たない後続の連続トランスミッション・タイミング・インターバルの数の指標を組み込むステップを含むことを特徴とする方法。
【請求項２】
前記指標が、一連のリソース・ブロックのうちの最後のリソース・ブロック内に組み込まれていることを特徴とする請求項１に記載の方法。
【請求項３】
前記測定が、通信を休止するために、別の周波数又は別の無線アクセス技術のうちの一つで実施されることを特徴とする請求項１又は２に記載の方法。
【請求項４】
前記測定が、前記トランスミッション・タイミング・インターバル１個分を超える時間を要する測定を有利に含み得ることを特徴とする請求項１から３のいずれか１項に記載の方法。
【請求項５】
割当てのリソース・ブロックを持たない前記後続の連続トランスミッション・タイミング・インターバルを形成するように前記ネットワーク・データフローを最適化するステップを含むことを特徴とする請求項１から４のいずれか１項に記載の方法。
【請求項６】
前記指標が、下りリンクのスケジューリング情報内のフィールドの中に組み込まれていることを特徴とする請求項１から５のいずれか１項に記載の方法。
【請求項７】
前記フィールドが、測定用にスケジューリングが可能な次の前記連続トランスミッション・タイミング・インターバルの指標を提供することを特徴とする請求項６に記載の方法。
【請求項８】
前記ｅＮｏｄｅＢが割当てのリソース・ブロックを予知できない場合に、前記フィールドが、測定用にスケジューリングが可能な前記連続トランスミッション・タイミング・インターバルの最大数を提供することを特徴とする請求項７に記載の方法。
【請求項９】
ｅＮｏｄｅＢからシグナリングを受信するように構成された移動無線通信装置における周波数間測定及び無線アクセス技術（ＲＡＴ）間測定を助けるステップを含むことを特徴とする請求項１から８のいずれか１項に記載の方法。
【請求項１０】
移動無線通信ネットワーク内で動作し、そこで測定を実施するように構成された移動無線通信装置であって、割当てのリソース・ブロックを持たない後続の連続トランスミッション・タイミング・インターバルの数の指標を組み込んだリソース・ブロックを受信するように、且つ、しかるべく前記測定のスケジューリングを行うように構成されることを特徴とする装置。
【請求項１１】
前記指標を、それが一連のリソース・ブロックのうちの最後のリソース・ブロック内に組み込まれているときに受信するように構成されることを特徴とする請求項１０に記載の装置。
【請求項１２】
前記移動無線通信装置によって行われる前記測定が、前記トランスミッション・タイミング・インターバル１個分を超える時間を要する測定であることを特徴とする請求項１０又は１１に記載の装置。
【請求項１３】
場合によっては起こり得るハイブリッドＡＲＱ再送信を考慮して、最新受信ＰＲＢを受信してからＴ０後に、前記移動無線通信装置によって行われる前記測定が始動できることを特徴とする請求項１０又は１１に記載の装置。
【請求項１４】
前記指標を、それが下りリンクのスケジューリング情報内のフィールドの中に組み込まれているときに受信するように構成されることを特徴とする請求項１０から１２のいずれか１項に記載の装置。
【請求項１５】
前記各トランスミッション・タイミング・インターバルがサブフレームを含んでいる装置であって、ｅＮｏｄｅＢから前記指標を受信するように更に構成されることを特徴とする請求項１０、１１、１２、又は１４のいずれか１項に記載の装置。
【請求項１６】
前記ネットワーク内の移動無線通信装置にリソース・ブロックを配信するための移動無線通信ネットワーク装置であって、リソース・ブロック内に、割当てのリソース・ブロックを持たない後続の連続トランスミッション・タイミング・インターバルの指標を組み込むように構成されることを特徴とするネットワーク装置。
【請求項１７】
一連のリソース・ブロックのうちの最後のリソース・ブロック内で前記指標を提供するように構成されることを特徴とする請求項１６に記載のネットワーク装置。
【請求項１８】
前記後続のトランスミッション・タイミング・インターバルを提供するように前記ネットワーク内の前記データフローを最適化できる構成になされていることを特徴とする請求項１６又は１７に記載のネットワーク装置。
【請求項１９】
前記指標を、下りリンクのスケジューリング情報内のフィールドの中に設けるように構成されることを特徴とする請求項１６から１８のいずれか１項に記載のネットワーク装置。
【請求項２０】
前記フィールドが、測定用にスケジューリングが可能な次の前記連続トランスミッション・タイミング・インターバルの指標を提供することを特徴とする請求項１９に記載のネットワーク装置。
【請求項２１】
前記ｅＮｏｄｅＢが割当てのリソース・ブロックを予知できない場合に、前記フィールドが、測定用にスケジューリングが可能な前記連続トランスミッション・タイミング・インターバルの最大数の指標を提供することを特徴とする請求項２０に記載のネットワーク装置。
【請求項２２】
移動無線通信ネットワーク内の移動無線通信装置における測定を助ける移動無線通信ネットワーク信号であって、割当てのリソース・ブロックを持たない後続の連続トランスミッション・タイミング・インターバルの数の指標を有するリソース・ブロックを含んでいることを特徴とする信号。
【請求項２３】
一連のリソース・ブロックのうちの最後のリソース・ブロック内に前記指標が組み込まれるように構成されることを特徴とする請求項２２に記載の信号。
【請求項２４】
前記トランスミッション・タイミング・インターバル１個分を超える時間を要する測定を助けるように構成されることを特徴とする請求項２２又は２３に記載の信号。
【請求項２５】
下りリンクのスケジューリング情報内のフィールドの中に提供されることを特徴とする請求項２２から２４のいずれか１項に記載の信号。
【請求項２６】
前記フィールドが、測定用にスケジューリングが可能な次の前記連続トランスミッション・タイミング・インターバルを示すように構成されていることを特徴とする請求項２５に記載の信号。
【請求項２７】
前記フィールドが、測定用にスケジューリングが可能な前記連続トランスミッション・タイミング・インターバルの最大数を示すように構成されていることを特徴とする請求項２６に記載の信号。
【請求項２８】
前記トランスミッション・タイミング・インターバルがサブフレームを含んでいることを特徴とする請求項２２から２７のいずれか１項に記載の信号。
【請求項２９】
移動無線通信ネットワーク内の移動無線通信装置測定を助ける方法であって、添付図面の図２及び図３に図示され、同図を参照して実質的に上記で説明された方法。
【請求項３０】
移動無線通信ネットワーク内で動作するように構成された移動無線通信装置であって、添付図面の図２及び図３を参照して実質的に上記で説明された装置。
【請求項３１】
添付図面の図２及び図３を参照して実質的に上記で説明された移動無線通信ネットワーク装置。
【請求項３２】
添付図面の図２及び図３を参照して実質的に上記で説明された移動無線通信ネットワーク信号。
【発明の詳細な説明】
【技術分野】
【０００１】
本発明は、移動無線通信ネットワーク内での動作時に必要とされる移動無線通信装置の測定に関し、特に、上記の測定を助ける装置、ネットワーク装置、及び関連の方法に関する。
【背景技術】
【０００２】
イボルブド・ユニバーサル地上無線アクセスｅＵＴＲＡネットワーク等の移動無線通信ネットワークにおいて、ｅＮｏｄｅＢは、ロング・ターム・エボリューション（ＬＴＥ）ユーザ機器（ＵＥ）端末へのリソースの割当て及び割当て解除を行うように構成されている。かかるリソースに対するスケジューリングは一般的に、無線ベアラに関連するクオリティ・オブ・サービス（ＱｏＳ）要件を考慮し、各ＵＥのチャネル品質情報にも関連させて行われる。
【発明の概要】
【発明が解決しようとする課題】
【０００３】
かかるリソースの提供に関連して発生するデータ・トラフィックは、必ずしも連続的である必要はない。例えば、たとえビットレートが高速であっても、データ・トラフィックにギャップを形成するために、ｅＮｏｄｅＢによってデータ・トラフィックを適合させることができる。ビットレートが低速の場合、データ・トラフィックは、いずれにせよ、そこにギャップを包含していることが特徴である。
【０００４】
したがって、データ・トラフィック内のギャップは、実際のビットレートとは関係なく発生し又は形成され得るものの、それでも、ＵＥ測定のスケジューリングが不都合に制限され、ＵＥでのスケジューリング測定の可能性が不都合に制約されるという点で、現在のネットワーク構成及びＵＥ構成には制約及び不利益が見られる。
【０００５】
したがって、本発明は、移動無線通信装置内でのＲＡＴ間測定又は周波数間測定を助ける移動無線通信装置、ネットワーク装置、及び関連の方法、並びに、関連のネットワーク・シグナリングを提供しようとするものである。これら装置、方法、及びシグナリングは、公知のかかる装置、方法、及びシグナリングに対して優位性を発揮する。
【課題を解決するための手段】
【０００６】
本発明の第１の態様によれば、移動無線通信ネットワーク内の移動無線通信装置測定を助ける方法であって、移動無線通信装置に送出されるリソース・ブロック内に、割当てのリソース・ブロックを持たない後続の連続ＴＴＩの個数を示す指標（ｉｎｄｉｃａｔｉｏｎ）を組み込むステップを含む方法が提供される。
【０００７】
移動無線通信装置が次いで、データ・トラフィック内に発生し又は形成されるギャップを使用し、ＲＡＴ間測定又は周波数間測定のスケジューリングを適切に行い得るという点で、本発明が有利であることが分かる。上記の指標を提供することによって、移動無線通信装置がかかる「ノン・データ」期間の継続時間を十分前もって判断し、それによって、割当てのリソース・ブロックを持たないトランスミッション・タイミング・インターバル（ＴＴＩ）の連続期間が所定の測定に十分か否かを即座に判断することが、容易に可能になる。
【０００８】
前記指標は、一連のリソース・ブロック（ＰＲＢ）のうちの最後のブロック内に組み込まれることが好ましい。
【０００９】
更に、上記の測定は、ＴＴＩ１個分を超える時間を要する測定を有利に含むことができる。
【００１０】
更に、方法は、割当てのＰＲＢを持たない前記後続の連続ＴＴＩを形成するようにネットワークのデータフローを最適化するステップを含むことができる。
【００１１】
１つの特定の特徴によれば、上記の指標は、下りリンクのスケジューリング情報内のフィールドの中に組み込むことができる。
【００１２】
したがって、フィールドは、スケジューリングが可能な次の連続ＴＴＩの指標、或いはその代わりに、スケジューリングが可能な連続ＴＴＩの最大数を提供することができる。
【００１３】
各ＴＴＩがサブフレームを含むことができることは、当然に理解されるであろう。
【００１４】
上記方法は、ｅＮｏｄｅＢからのシグナリングを受信するように構成された移動無線通信装置でのＲＡＴ間測定又は周波数間測定を助けるステップを含むことができる。
【００１５】
このようにして、上記方法は、ロング・ターム・エボルーション（ＬＴＥ）ネットワーク・セル内で前記指標を提供することができる。
【００１６】
本発明の別の態様によれば、移動無線通信ネットワーク内で動作し、そこで測定を実施するように構成された移動無線通信装置であって、割当てのリソース・ブロック（ＰＲＢ）を持たない後続の連続ＴＴＩの数の指標を組み込んだＰＲＢを受信するように、且つ、しかるべく前記測定のスケジューリングを行うように構成された装置が提供される。
【００１７】
前述のように、前記指標を、それが一連のＰＲＢのうちの最後のＰＲＢに組み込まれているときに受信するように、移動無線通信装置を構成することができる。
【００１８】
更に、移動無線通信装置によって行われる前記測定は、ＴＴＩ１個分を超える時間を要する測定とすることができる。
【００１９】
更に、前記指標を、それが下りリンクのスケジューリング情報内のフィールドの中に組み込まれているときに受信するように、移動無線通信装置を構成することができる。
【００２０】
前述のように、フィールドは、スケジューリングが可能な、割当てのリソース・ブロックを持たない次の連続ＴＴＩの指標、或いはその代わりに、スケジューリングが可能な、リソース・ブロックを持たない連続ＴＴＩの最大数を提供するように構成することができる。
【００２１】
更に、各ＴＴＩはサブフレームを含んでおり、ｅＮｏｄｅＢから前記指標を受信するように移動無線通信装置を構成することができる。
【００２２】
ＬＴＥネットワーク・セル内で前記指標を受信し、且つ、ＲＡＴ間測定又は周波数間測定を行うように、移動無線通信装置を構成することも可能である。
【００２３】
場合によっては起こり得るハイブリッドＡＲＱ再送信を考慮して、移動無線通信装置は、最新受信ＰＲＢを正常に受信してからＴ０後に、測定を開始することができる。Ｔ０はＵＥ内で確定されることになり、ハイブリッドＡＲＱ往復時間であると推定されることになる。
【００２４】
本発明の更なる態様によれば、ネットワーク内の移動無線通信装置にリソース・ブロックを配信するための移動無線通信ネットワーク装置であって、リソース・ブロック内に、割当てのリソース・ブロックを持たない後続の連続ＴＴＩの指標を組み込むように構成されたネットワーク装置が提供される。
【００２５】
上述したように、一連のＰＲＢのうちの最後のＰＲＢ内に前記指標を提供するように、ネットワーク装置を構成することができる。
【００２６】
更に、ネットワーク装置を、ネットワーク内のデータフローを変更できるように構成して、データを持たない前記後続ＴＴＩを提供するようにしてもよい。
【００２７】
更に、下りリンクのスケジューリング情報内のフィールドの中に前記指標を提供するように、ネットワーク装置を構成することができる。
【００２８】
かかる要素は、スケジューリングが可能な、割当てのリソース・ブロックを持たない次の連続ＴＴＩの指標、或いはその代わりに、スケジューリングが可能な、データを持たない連続ＴＴＩの最大数を提供するように、有利に構成することができる。
【００２９】
ここでも、各ＴＴＩはサブフレームを含むことができ、特定の一実施形態において、移動無線通信ネットワーク装置はｅＮｏｄｅＢを含むことができる。
【００３０】
このようにして、ＬＴＥネットワーク・セル内で動作するようにネットワーク装置を構成することができる。
【００３１】
本発明の更なる態様によれば、移動無線通信ネットワーク内の移動無線通信装置における測定を助ける移動無線通信ネットワーク信号であって、割当てのリソース・ブロックを持たない後続の連続ＴＴＩの数の指標を有するリソース・ブロックを含む信号が提供される。
【００３２】
一連のＰＲＢのうちの最後のＰＲＢに前記指標が組み込まれるように信号が構成されることは、有益なことである。
【００３３】
信号は、ＴＴＩ１個分を超える時間を要するＲＡＴ間測定又は周波数間測定を助けるように、有利に構成される。
【００３４】
ネットワークのシグナリングが、下りリンクのスケジューリング情報を含み、特定のフィールドを更に含むことができることは、有益なことである。特定のフィールドは、スケジューリングが可能な、割当てのリソース・ブロックを持たない次の連続ＴＴＩ、或いはその代わりに、スケジューリングが可能な連続ＴＴＩの最大数を提示するように、有利に構成される。特定の一実施形態において、各ＴＴＩがサブフレームを含むように、信号を構成することができる。
【００３５】
更に信号は、ｅＮｏｄｅＢを介して提供することができ、ＬＴＥネットワーク・セル内での移動無線通信装置測定を助けるために提供することができる。
【００３６】
「ノー・データ」期間中に移動無線通信装置が正確にＲＡＴ間測定又は周波数間測定を遂行できるようにするために、本発明の概念が、無線リソース・スケジューリングに関する情報を、移動無線通信装置内で提供することを可能にすることは、これまでの記載から理解されるはずである。
【００３７】
上記のように測定を正確に行うこと、並びに、かかる期間及び全般的リソース・スケジューリングを使用することは、関連技術の範囲では通常は不可能である。
【００３８】
以下、例示のみを目的に、下掲の添付図面を用いて、本発明について更に説明する。
【図面の簡単な説明】
【００３９】
【図１】関連技術に発生するスケジューリング上の制約を示すタイミングチャートである。
【図２】本発明の一実施形態の動作を示すタイミングチャートであり、関連技術に見られる制約を克服するように機能するものである。
【図３】ａ及びｂは、本発明の特定の一実施形態の動作を、ネットワークのシグナリング内に発生するＰＲＢの中で提供される、異なる指標に対応させて図示している。
【発明を実施するための形態】
【００４０】
当然のことながら、本発明の基本的概念は、ｅｎｏｄｅＢによってＬＴＥセル内で送出される一連のＰＲＢの中の最後のＰＲＢが、移動無線通信ネットワークに割当てられたＰＲＢが存在しない次の連続的なＴＴＩの個数を明示するフィールドを包含する体系の中で、具現化することができる。
【００４１】
かかる情報を移動無線通信装置に有益に使用させ、所定の測定を実施するために、「無トラフィック」期間の使用を計画させ、遂行させることができる。当然のことながら、本発明の概念は、例えば無線アクセス技術（ＲＡＴ）間測定等の、ＴＴＩ１個分を超える時間を要する測定を実施するのに特に有用である。
【００４２】
ＴＴＩ１個分を要しない各測定については、これらの測定を、移動無線通信装置は、割当てのリソースが無いと分かると即座に単一ＴＴＩ内で実施することができる。
【００４３】
低ビットレートのデータ・トラフィックは本来、データが発生しない期間を有し、他方、高ビットレートのトラフィックは、ｅＮｏｄｅＢにおいて適合させて、必要に応じてｅＮｏｄｅＢによってギャップが導入されるようにすることができる。
【００４４】
ＬＴＥセルの測定継続時間は未確定状態であると考えられるかもしれないが、ＵＴＲＡセルの一例は、下記の方針に沿ったタイミングを提供している。
−（スロット同期のための）第１段階継続時間は、約３０ｍｓ程度が好ましい。
−（フレーム同期及びスクランブルコード・グループ検出のための）第２段階継続時間＋（スクランブルコード検出のための）第３段階継続時間は、約２０ｍｓ程度が好ましい。
−セルレベル測定継続時間は、約２ｍｓ程度が好ましい。
【００４５】
更に、ＲＦをＬＴＥからＵＴＲＡＮに切り替え、次いでＵＴＲＡ測定後に、ＵＴＲＡＮからＬＴＥに切り替える時間は、約０．４ｍｓ程度が好ましい。
【００４６】
したがって、ＬＴＥ移動無線通信装置端末が１つのＵＴＲＡセル上で１回の測定を実施しなければならない場合、端末は、５秒（起動から少なくとも５秒後に、ＭＳは新たな最善のＵＴＲＡＮセルを報告することが一般に必要とされている）毎に３０＋２０＋２＝５２ｍｓを要することになる。
【００４７】
かかる測定をいくつかのギャップにおいて、たとえ「バースト」モードで実施することが可能であるとしても、必要とされる最小ギャップ継続時間は、セルレベルの測定２ｍｓにＲＦ切替えの０．４ｍｓを加えた継続時間によって規定され、全体としてＬＴＥ  ＴＴＩ３個分に等しくなる。
【００４８】
このことから、大抵の場合、移動無線通信装置はＵＴＲＡセルのレベルの測定を実施するのにＴＴＩ１個分を超える時間を要することが分かる。したがって、いくつの連続サブフレームがＰＲＢを持たないかを装置に知らせるように機能する本発明の概念は、有利に用いることができる。
【００４９】
本発明の概念の基本特性は、図１と図２との比較により、容易に説明される。
【００５０】
図１において、関連技術に従ったタイミングチャート１０が例示されており、一連のＰＲＢ１２、１６、１８をｅＮｏｄｅＢから移動無線通信装置に配信する様子を示している。
【００５１】
「無トラフィック」期間１４によってＰＲＢのペア１６から分けられた３個のＰＲＢから成る最初のＰＲＢ列１２と、その次の、ＰＲＢのペアと単一のＰＲＢとを含む群１８と、でＰＲＢの集合が示されていることが分かるであろう。
【００５２】
タイミングチャートは、移動無線通信装置において必要とされている一連の計画された測定（ｐｌａｎｎｅｄ  ｍｅａｓｕｒｅｍｅｎｔ）２０も示している。この測定は、１個のサブフレームを要する２個の単一測定２２、２４と、次の３連サブフレーム測定２６と、更に次の２連サブフレーム測定２８と、最後の単一サブフレーム測定３０による一連となっている。
【００５３】
当然のことながら、移動無線通信装置は、所定の測定を、ＰＲＢが割当てられていないことが分かったときにのみ実施することができ、したがって、「無単一期間」１４がサブフレーム１個分を超えて続くのか否かを移動無線通信装置が識別できないことから、かかる測定への割込みを防止するために、単一サブフレーム測定のみが可能である。
【００５４】
このため、示されているように、計画された測定２２、２４のみが実行可能であり、ＰＲＢのペア１６の後に、サブフレーム３個分の計画された測定２６を実際に実施し得る十分な「無信号期間」があるにもかかわらず、それぞれ単一サブフレームを超える時間を要する後続の測定２６、２８は、実施することができない。
【００５５】
次に図２を参照すると、同様の、但し本発明の一実施形態に従ったタイミングチャートが例示されている。
【００５６】
ここでも、タイミング線１１０は、ＰＲＢ１１２と１１６とがやはり単一のサブフレーム期間１１４によって分離されている状態で、一連のＰＲＢ１１２、１１６、１１８に対して図解されている。
【００５７】
更に、図１と同様に、やはり２個の単一サブフレーム測定１２２、１２４と、３連サブフレーム測定１２６と、２連サブフレーム測定１２８と、別の単一サブフレーム測定１３０と、を含む一連の計画された測定が示されている。
【００５８】
図２に図示された実施形態に関して、例示した各ＰＲＢ列１１２、１１６、１１８の各最後尾ＰＲＢがフィールド１１２’、１１６’、及び１１８’を備え、データが発生しない後続サブフレームの連続数を確認するように機能する指標を組み込んでいることは、重要である。
【００５９】
即ち、フィールド１１２’は、後続の「無データ」期間１１４が単一サブフレームから成ることを示し、フィールド１１６’は、後続の「無データ」期間が５連サブフレーム期間から成ることを示している。
【００６０】
このため、計画された測定１２２は、図１と同様に、ここでも、最初の単一サブフレーム期間１１４に行うことができる。しかも、移動無線通信装置は、フィールド１１６’を含むシグナリング１１６を参照して、次のＰＲＢ列１１８が発生するまでに、合わせてサブフレーム４個分の計画された測定１２４及び１２６を実行するのに十分な時間があることを知っている。更に、フィールド１１８’は、計画されたサブフレーム測定１２８及び単一サブフレーム測定１３０を完了するのに十分な期間が後にあることを示すように機能する。
【００６１】
したがって、図１で図示された展開と異なり、図２に示す本発明の実施形態は、移動無線通信装置が所定の測定すべてを、図１で発生するのと同一のデータ期間内に、迅速且つ効率的に完了することを可能にする。
【００６２】
上述したように、この情報は、下りリンクのスケジューリング情報内に、例えばリソース割振りの一部として含めることができる。
【００６３】
上記の動作を確かなものにするために、フィールド１１２’も、１１６’も、１１８’も存在しなければ、次のサブフレームにＰＲＢが割当てられているものと推測し、測定を計画することができず、ｅＮｏｄｅＢは、上記測定の予測を提供することができない。
【００６４】
フィールドは、送信データを持たない次の連続ＴＴＩ（ＮＴＴＩ）を明示するように構成される。
【００６５】
ｅＮＢがスケジューリングを行える連続ＴＴＩの最大数（ＮＴＴＩｍａｘ）は、ｅＮＢスケジューラ能力、ＱｏＳ要件、及びチャネル品質情報に従って規定できることが好ましい。更に、必要な場合には、値を動的に変更することができる。
【００６６】
更なる考察として、スケジューラのアルゴリズムに一定度合いの柔軟性を保証し、且つ、最終的例外を阻止するために、Ｎｌｉｍを規定して、ＮＴＴＩｍａｘが決してＮｌｉｍを超えないようにしてもよい。但し、ＮＴＴＩがＮｌｉｍを超えたことをＵＥが検知した場合、ＵＥは、値が異常であると考え、測定を実施すべきではないと決定することができる。スケジューラ能力にも従って、Ｎｌｉｍは、ＵＴＲＡＮの（ＴＧＬＩ，ＴＧＬ２）で規定される最大ギャップ長の継続時間と同一の継続時間、即ち、１４スロット／１ｍｓ長ＴＴＩ１０個分（２５．９２２&２５．１３３参照）だけ持続するものと、推定することができる。
【００６７】
したがって、ＮＴＴＩを｛１，．．．，ＮＴＴＩｍａｘ，．．．，Ｎｌｉｍ｝に設定することができる。
【００６８】
しかし、図３ａは、ｅＮＢスケジューラがＮＴＴＩｍａｘ（３２）後に、次の割当てＰＲＢを予知できない場合に、それが、ＮＴＴＩをＮＴＴＩｍａｘ（３４）に設定することを示している。上記の展開において、移動無線通信装置はサブフレーム‘ＮＴＴＩｍａｘ＋１’（３６）での測定を取り止め、割当てＰＲＢがあるかどうか点検する。上記の動作形態を図３ａに示す。
【００６９】
次に、図３ｂは、ｅＮｏｄｅＢスケジューラが、サブフレームＮＴＴＩｍａｘ（３８）において、次のリソース割当てを依然として予測できない場合の展開を示している。同図において、ｅＮｏｄｅＢスケジューラは、指標を、ＮＴＴＩｍａｘ（４２）に設定された、このイノベーションに記載の情報を有するＰＲＢを割り当てることによって、サブフレームＮＴＴＩｍａｘ＋  １（４０）の時に移動無線通信装置に送出することができる。
【００７０】
したがって、本発明が、ｅＮｏｄｅＢ及び関連のＵＥ、等のＬＴＥ関連製品において特に有用であり、したがって、３ＧＰＰ規格内で有利に使用し得る可能性があることは、理解されるであろう。
【図１】
2010518657.tif 000003
【図２】
2010518657.tif 000004
【図３】
2010518657.tif 000005
【国際調査報告】
2010518657.tif 000006